(57)【特許請求の範囲】
【請求項１】
ユーザが登録した施設に関する登録済施設情報を管理するデータベースを記憶している記憶手段（１５、２６）と、
前記記憶手段（１５、２６）に記憶されているデータベースにて管理されている第１の登録済施設情報、および外部のサーバ（６）のデータベースにて管理されている第２の登録済施設情報のリストを共通の態様にて表示する表示手段（１１、２１）と、
前記表示手段（１１、２１）に表示する登録済施設情報を、前記第１の登録済施設情報または前記第２の登録済施設情報に切り替える切替操作を入力する操作入力手段（１２、２２）と、
前記切替操作に応じて前記表示手段（１１、２１）に表示する前記登録済施設情報を切り替えさせる制御手段（１０、２０）と、
を備えることを特徴とする移動端末。
【請求項２】
前記制御手段は、前記表示手段に表示されていない前記登録済施設情報を、前記操作入力手段に対して前記切替操作が入力される前にデータベースから取得することを特徴とする請求項１記載の移動端末。
【請求項３】
前記表示手段は、前記第１の登録済施設情報を表示するための第１タブと前記第２の登録済施設情報を表示するための第２タブとを画面上に並べて配置するとともに、前記第１の登録済施設情報及び前記第２の登録済施設情報が表示中または非表示中であるかを識別可能な態様にて前記第１タブ及び前記第２タブを表示することを特徴とする請求項１または２記載の移動端末。
【請求項４】
前記記憶手段は、前記表示手段に表示している前記登録済施設情報の取得元となるデータベースを特定可能な情報である取得元情報を記憶し、
前記表示手段は、次回に前記登録済施設情報を表示する際、前記記憶手段に記憶されている前記取得元情報にて特定されるデータベースから前記登録情報を取得することを特徴とする請求項１から３のいずれか一項記載の移動端末。
【請求項５】
前記外部のサーバのデータベースにて管理されている登録済施設情報は、複数のユーザにより登録可能な施設情報であって当該複数ユーザで共有される共有情報と、当該移動端末のユーザにより登録された施設情報であって当該ユーザによって専有して利用される専有情報とを含んでいることを特徴とする請求項１から４のいずれか一項記載の移動端末。
【請求項６】
前記専有情報は、当該専有情報を含む登録済施設情報を表示させるための切り替え操作が行われる前にデータベースから取得され、
前記共有情報は、当該共有情報を含む登録済施設情報を表示させるための切り替え操作が行われた際にデータベースから取得することを特徴とする請求項１から５のいずれか一項記載の移動端末。
【請求項７】
前記記憶手段に記憶されているデータベースにて管理されている前記登録済施設情報は、当該移動端末にて実行される複数のアプリケーションにより個別に登録された情報を含んでおり、
前記表示手段は、前記登録済施設情報を表示する際、当該登録済施設情報を登録した前記アプリケーションによらず共通の態様にて表示することを特徴とする請求項１から６のいずれか一項に記載の移動端末。
【請求項８】
前記登録済施設情報は、登録されている施設または地点を特定可能な施設情報を含み、
自機位置を検出する自機位置検出手段（１４、２５）をさらに備え、
前記制御手段は、目的地まで案内するナビゲーション機能を実行可能であり、前記表示手段に表示される前記登録済施設情報のうち、ユーザにより選択され前記施設情報が付加されている登録済施設情報に対応した施設を、前記ナビゲーション機能を実行する際の目的地として設定することを特徴とする請求項１から７のいずれか一項記載の移動端末。
【請求項９】
請求項１から８のいずれか一項記載の移動端末として用いられる携帯通信端末であって、
サーバ（６）のデータベースにて管理されている前記第２の登録済施設情報を取得する外部通信手段（２４）を備えることを特徴とする携帯通信端末。
【請求項１０】
請求項１から８のいずれか一項記載の移動端末として用いられる車両用装置であって、
携帯通信端末（３）を通信するための通信手段（１６）をさらに備え、
前記携帯通信端末（３）を介してサーバ（６）のデータベースにて管理されている前記第２の登録済施設情報を取得することを特徴とする車両用装置。
【発明の詳細な説明】
【技術分野】
【０００１】
本発明は、複数のＳＮＳを利用対象とする移動端末、車両用装置、携帯通信端末に関する。
【背景技術】
【０００２】
従来、携帯通信端末と連携して作動する装置が知られている。例えば、特許文献１には、携帯通信端末を介して受信した画像を表示させる端末装置が記載されている。
ところで、近年では、単にネットワーク上のサーバから情報を受信するだけでなく、ユーザ側から情報を発信することも行われるようになってきている。いわゆるＳＮＳ（Social Networking Service）と呼ばれるサービスでは、例えばユーザの嗜好に基づいて登録された情報を登録済施設情報としてサーバ側で記憶し、その登録済施設情報を携帯通信端末からユーザが専有して、あるいは第三者と共有して利用する情報登録サービスが提供されている。この登録済施設情報は、具体的には、例えばユーザの嗜好に基づいて登録されたいわゆるお気に入り情報などである。
【特許文献１】特開２０１０−２６１０４号公報
【発明の開示】
【発明が解決しようとする課題】
【０００３】
さて、各ＳＮＳでは、一般的に、差別化などを目的として異なる態様にて情報登録サービスを提供している。具体的には、ＳＮＳは、画面表示や操作態様がＳＮＳごとに異なっている。そのため、ユーザは、複数のＳＮＳに登録している場合、それぞれのＳＮＳに応じた操作を行う必要がある。
しかしながら、複数のＳＮＳを利用対象とした場合、各ＳＮＳに共通する機能であるにも関わらず、画面表示や操作態様が異なっていると、ユーザの利便性が低下するおそれがある。
【０００４】
本発明は上記事情に鑑みてなされたものであり、その目的は、複数の情報提供サービスを利用する場合において、ユーザの利便性を向上することができる移動端末、車両用装置、携帯通信端末を提供することにある。
【課題を解決するための手段】
【０００５】
請求項１記載の移動端末は、自身の記憶手段に記憶されているデータベースにて管理されている第１の登録済施設情報、および外部のサーバのデータベースにて管理されている第２の登録済施設情報のリストを表示手段に共通の態様にて表示するとともに、表示する登録済施設情報を切り替える切替操作を入力する操作入力手段、および切替操作に応じて表示手段に表示する登録済施設情報を切り替えさせる制御手段を備える。つまり、移動端末は、異なるデータベースに登録されている登録済施設情報のリストを表示する際、その表示態様を共通化している。したがって、ユーザの利便性を向上することができる。
【図面の簡単な説明】
【０００６】
【図１】本発明の一実施形態による移動端末を適用した車両用システムの構成を概略的に示す図
【図２】移動端末としての車両用装置の構成を概略的に示す図
【図３】移動端末としての携帯通信端末の構成の概略的に示す図
【図４】車両用装置における制御の概略を示す図
【図５】車両用装置のホーム画面を模式的に示す図
【図６】車両用装置の登録案内画面を模式的に示す図
【図７】車両用装置による情報表示処理の流れを示す図
【図８】車両用装置による専有情報の表示画面の一例を示す図その１
【図９】車両用装置による専有情報の表示画面の一例を示す図その２
【図１０】車両用装置による共有情報の表示画面の一例を示す図
【図１１】車両用装置による目的地を設定した場合の画面の一例を示す図
【発明を実施するための形態】
【０００７】
以下、本発明の一実施形態について、図１から図１１を参照しながら説明する。
図１に示すように、情報表示システム１は、移動端末としての車両用装置２および携帯通信端末３と、サーバとしての中間サーバ５およびコンテンツサーバ６とを備えている。この情報表示システム１では、移動端末とサーバとが外部のネットワーク４を介して互いに通信可能に接続されている。車両用装置本実施形態の場合、車両用装置２は、図示しない車両に搭載されている。この場合、車両用装置２は、車両の例えば車室内に固定的に設けられているものに限らず、移動可能に設けられているものであってもよい。
【０００８】
まず、情報表示システム１におけるコンテンツの利用形態の概略について説明する。情報表示システム１は、コンテンツサーバ６にて提供される各種のコンテンツを利用することができる。利用できるコンテンツには、ＰＯＩ（Point Of Interest）検索サービス、ニュース配信サービス、複数のＳＮＳ１〜ＳＮＳ４、音楽ストリーミングサービスなどがある。なお、これらのコンテンツは、１つのコンテンツプロバイダにより提供されているものに限らず、複数のコンテンツプロバイダにより提供されていてもよい。
【０００９】
これらのコンテンツは、コンテンツプロバイダがそれぞれ定めたデータ形式にて提供されることが多い。そのため、車両用システム１では、移動端末とコンテンツサーバ６との間に、各コンテンツプロバイダから様々なデータ形式で提供されるコンテンツを統一されたデータ形式に変換する中間サーバ５を設けている。
本実施形態では、上記した各種のサービスのうち、ＳＮＳ１〜４を対象としている。各ＳＮＳ１〜４は、ユーザ自身或いは第三者により登録された施設に関する情報である登録済施設情報、具体的には、例えばいわゆるお気に入りとして登録した施設の情報をそれぞれ異なるデータベースにて管理している。つまり、登録済施設情報を管理するデータベースは、ＳＮＳごとにそれぞれ設けられている。
【００１０】
車両用装置２は、図２に示すように、車両側制御部１０、車両側表示部１１、車両側操作入力部１２、車両側音声入出力部１３、車両側位置検出部１４、車両側記憶部１５、および車両側接続部１６を有している。車両側制御部１０は、図示しないＣＰＵ、ＲＯＭおよびＲＡＭなどを有するマイクロコンピュータにて構成されており、ＲＯＭなどに記憶されているプログラムにしたがって車両用装置２の全体を制御する。また、車両側制御部１０は、携帯通信端末３と連携して作動するアプリケーションの実行が可能であるとともに、車両を目的地まで案内するナビゲーション機能を実行可能になっている。つまり、本実施形態の車両用装置２は、いわゆるナビゲーション装置を採用している。車両側制御部１０は、特許請求の範囲に記載した制御手段、および後述する変更手段を構成している。
【００１１】
車両側表示部１１は、例えばカラー表示可能な液晶表示器や有機ＥＬ表示器あるいはプラズマディスプレイなどにより構成されている。車両側表示部１１は、例えば、車両用装置２の操作画面やナビゲーション機能使用時の地図画面などを表示する。また、車両側表示部１１は、後述するように、登録済施設情報のリストや、表示する登録済施設情報を切り替えるためのタブなども表示する。車両側表示部１１は、特許請求の範囲に記載した表示手段を構成している。
【００１２】
車両側操作入力部１２は、車両側表示部１１に対応して設けられているタッチパネル、および車両側表示部１１の周囲に配置された接触式のスイッチなどにより構成されている。ユーザは、これらの車両側操作入力部１２から、車両用装置２に対する操作を入力する。なお、タッチパネルとしては、例えば感圧方式、電磁誘導方式あるいは静電誘導方式など、任意の方式のものを採用することができる。車両側操作入力部１２は、車両側表示部１１とともに、特許請求の範囲に記載した操作入力手段を構成している。
【００１３】
車両側音声入出力部１３は、図示しないスピーカおよびマイクを有している。車両側音声入出力部１３は、例えば車両側記憶部１５に記憶されている楽曲や車両用装置２からのガイド音声などの出力を行う。また、車両側音声入出力部１３は、車両用装置２に対するユーザの音声操作などが入力される。車両側位置検出部１４は、いわゆるＧＰＳユニットやジャイロセンサなどを有しており、車両用装置２の自機位置、より具体的には、車両用装置２が設けられている車両の自機位置を検出する。車両側位置検出部１４は、特許請求の範囲に記載した自機位置検出手段を構成している。なお、ＧＰＳユニットなどにより自機位置を検出する手法については周知であるので、ここでは詳細な説明は省略する。
【００１４】
車両側位置検出部１４にて検出した車両の位置に基づいて、車両側制御部１０は、車両を目的地まで案内するナビゲーション処理を実行する。つまり、本実施形態では、車両用装置２としていわゆるナビゲーション装置を利用している。車両側記憶部１５は、楽曲データやナビゲーション機能に用いる地図データ、車両用装置２にて実行される各種のアプリケーション、および車両用装置２のユーザが登録した後述するお気に入り情報のような登録済施設情報（第１の登録済施設情報に相当する）などを記憶している。
【００１５】
車両側接続部１６は、携帯通信端末３との間で通信を行う。本実施形態では、Ｂｌｕｅｔｏｏｔｈ（登録商標）による無線通信方式を採用している。以下、Ｂｌｕｅｔｏｏｔｈ（登録商標）をＢＴと称し、ＢＴによる接続をＢＴ接続と称する。車両側接続部１６は、例えばデータ通信用のプロファイル１６ａ（ＢＴの場合、ＳＰＰやＤＵＮなどが対応する）を有しており、それらのプロファイルを用いて携帯通信端末３と接続する。車両側接続部１６は、特許請求の範囲に記載した通信手段を構成している。
【００１６】
移動端末としての携帯通信端末３は、図３に示すように、端末側制御部２０、端末側表示部２１、端末側操作入力部２２、端末側音声入出力部２３、通信部２４、端末側位置検出部２５、端末側記憶部２６、および端末側接続部２７を有している。本実施形態の場合、携帯通信端末３として、いわゆるスマートフォンを想定している。端末側制御部２０は、図示しないＣＰＵ、ＲＯＭおよびＲＡＭなどを有するマイクロコンピュータにて構成されており、ＲＯＭなどに記憶されているプログラムにしたがって携帯通信端末３の全体を制御する。また、端末側制御部２０は、車両用装置２と連携して作動するアプリケーションの実行が可能である。
【００１７】
端末側表示部２１は、例えばカラー表示可能な液晶表示器や有機ＥＬ表示器などにより構成されている。端末側表示部２１には、例えば電話帳データや例えば端末側記憶部２６に記憶されている画像や映像などに加えて、登録済施設情報のリストや、表示する登録済施設情報を切り替えるためのタブなども表示される。端末側表示部２１は、特許請求の範囲に記載した表示手段を構成している。端末側操作入力部２２は、端末側表示部２１に対応して設けられているタッチパネル、および端末側表示部２１の周囲に配置された接触式のスイッチなどにより構成されている。携帯通信端末３には、これらの端末側操作入力部２２から、携帯通信端末３に対する操作が入力される。なお、タッチパネルとしては、例えば感圧方式、電磁誘導方式あるいは静電誘導方式など、任意の方式のものを採用することができる。端末側操作入力部２２は、端末側表示部２１とともに、特許請求の範囲に記載した操作入力手段を構成している。
【００１８】
端末側音声入出力部２３は、図示しないマイクおよびスピーカを有しており、通話時の発話音声の入力および受話音声の出力を行う。また、端末側音声入出力部２３は、例えば端末側記憶部２６に記憶されている楽曲や映像の音声などの出力なども行う。通信部２４は、公衆回線網やネットワーク４へ接続する広域通信を行う。通信部２４は、通話やネットワーク４との間のデータの送受信などを行う。通信部２４は、特許請求の範囲に記載した外部通信手段を構成している。端末側位置検出部２５は、いわゆるＧＰＳユニットやジャイロセンサなどを有しており、携帯通信端末３の自機位置を検出する。なお、ＧＰＳユニットなどにより自機位置を検出する手法については周知であるので、ここでは詳細な説明は省略する。端末側位置検出部２５は、特許請求の範囲に記載した自機位置検出手段を構成している。
【００１９】
端末側記憶部２６は、電話帳データや楽曲などを記憶しているとともに、端末側装置にて実行される各種のアプリケーションやユーザが保存したデータ、携帯通信端末３のユーザが登録した後述するお気に入り情報のような登録済施設情報（第２の登録済施設情報に相当する）などが記憶されている。端末側接続部２７は、車両用装置２との間で通信を行う。本実施形態では、上記したようにＢＴによる無線通信方式を採用しており、携帯通信端末３は、車両用装置２とＢＴ接続される。端末側接続部２７は、車両用装置２と同様にデータ通信用のプロファイル２７ａ（本実施形態ではＳＰＰやＤＵＮなど）を有しており、それらのプロファイルを用いて車両用装置２と接続する。なお、データ通信用のプロファイに限らず、例えばハンズフリー通話用のプロファイル（ＢＴの場合、ＨＦＰ）などを有していてもよい。
【００２０】
次に、上記した構成の作用について説明する。なお、以下に示すフローチャートにおいては、携帯通信端末３をＳＰと記載している。また、車両用装置２および携帯通信端末３は同様の態様にて登録済施設情報を表示可能であるので、以下では車両用装置２を例にして説明する。
【００２１】
まず、車両用装置２にて行われる処理の概略を図４から図６を参照して説明する。図４に示すように、車両用装置２は、開始（車両のＡＣＣをオン）後に携帯通信端末３（ＳＰ）とＢＴ接続すると（Ａ１）、サービスを開始する（Ａ２）。ここで、ステップＡ２におけるサービスの開始とは、携帯通信端末３を介してコンテンツサーバ６から提供されるサービス（コンテンツ）を利用するために、携帯通信端末３と連携する作動を開始することである。このとき、車両用装置２は、図５に示すように、利用するサービスＡ〜サービスＨに対応したアイコンＩ１〜Ｉ８が配置されたホーム画面を車両側表示部１１に表示する。なお、コンテンツの種類や数は図５に示したものに限定されない。
【００２２】
そして、ユーザは、いずれかのアイコンＩ１〜Ｉ８をタッチ操作することにより、所望のサービス（図１参照）を選択する。図５の場合、サービスＡに対応してアイコンＩ１が設けられ、サービスＢに対応してアイコンＩ２が設けられ、サービスＣに対応してアイコンＩ３などが設けられている。いずれかのアイコンが操作されると、車両用装置２は対応するアプリケーションを実行する。即ち、車両用装置２は、複数のアプリケーションを実行可能である。また、ホーム画面には、登録済施設情報（本実施形態では、いわゆるお気に入り情報を想定している）を表示するためのお気に入りボタンＭ１、および画面表示を更新する更新ボタンＭ２が表示されている。なお、更新ボタンＭ２は、後述するように、登録済施設情報の再取得にも用いられる。
【００２３】
続いて、車両用装置２は、図４に示すように、選択されたサービスを車両用装置２が提供可能であるか否かを判定する（Ａ３）。より具体的には、ステップＡ３では、コンテンツサーバ６から提供されるサービスを利用するための設定が行われているか否かを判定している。例えば、ＳＮＳのサービスを利用するに先立ち、ＳＮＳのアカウント情報の登録など初期設定行われているかを判定する。そして、車両用装置２は、初期設定が済んでいない場合には（Ａ３：ＮＯ）、例えば図６に示すようなアカウント登録案内画面を表示する（Ａ５）。
【００２４】
さて、車両用装置２は、図４に示すように、初期設定が既に行われ、選択されたサービスを提供可能である場合には（Ａ３：ＹＥＳ）、ユーザ操作にしたがい、携帯通信端末３を介してコンテンツサーバ６からコンテンツを取得してサービスを提供する（Ａ４）。そして、車両用装置２は、提供中のサービスの終了指示がユーザによりなされるまで、サービスの提供を継続する（Ａ６：ＮＯ）。一方、車両用装置２は、ユーザにより終了指示がなされた場合には（Ａ６：ＹＥＳ）、処理を終了する。
このように、車両用装置２は、ユーザにより選択されたサービスを提供する。
【００２５】
次に、ユーザが上記したお気に入りボタンＭ１を操作した際の車両用装置２の作動について、図７から図１１を参照しながら説明する。
まず、本実施形態の車両用装置２が表示する情報について説明する。
ユーザが登録したお気に入り情報（登録済施設情報）は、ＳＮＳなどを利用してコンテンツサーバ６側のデータベースにて管理（記憶）される場合もあれば、車両用装置側で記憶するデータベースにて管理（記憶）される場合もある。また、コンテンツサーバ６側に登録されたお気に入り情報は、登録したユーザ自身でのみ利用される情報（専有情報に相当する）と、複数人による登録が可能であり、ユーザを含めた第三者間で共有される情報（共有情報に相当する）とに区分けされる。車両用装置２は、これらの情報を以下のように切替ながら表示する。
【００２６】
ユーザは、お気に入り情報を表示したい場合、例えば図５に示すホーム画面に表示されているお気に入りボタンＭ１をタッチ操作する。ここで、お気に入りボタンＭ１は、本実施形態の場合、基本的にはいずれのコンテンツを利用する場合にも画面上に表示されている。すなわち、お気に入りボタンＭ１は、上記したホーム画面（図５参照）だけでなく、ローカルサーチやチェックインなどのコンテンツの利用画面においても表示されている。このため、ユーザは、任意の時期にお気に入り情報を表示させることが可能である。また、ユーザは、任意の画面から、お気に入り情報の登録が可能となっている。
【００２７】
車両用装置２は、図７に示す情報表示処理を実行しており、お気に入りボタンＭ１が操作されると（Ｂ１：ＹＥＳ）、初めての起動であるか否かを判定する（Ｂ２）。ここで、初めての起動とは、上記したアカウント情報の登録後に初めてお気に入りボタンＭ１が操作された状態を意味している。車両用装置２は、初めての起動である場合には（Ｂ２：ＹＥＳ）、図８に示す地点キープ画面を表示する（Ｂ３）。ここで、地点キープとは、車両用装置２のサービスを利用した際に、ユーザ自身によってその地点や施設をお気に入り情報として登録された情報である。この地点キープにより登録された情報は、車両側記憶部１５に記憶されて、ユーザにより使用される専有情報である。
【００２８】
図８に示す地点キープ画面には、例えばローカルサーチの利用時に登録された「ＭＭＭＭ」、写真ｄｅマップの利用時に登録された「ＮＮＮＮ」の情報（ローカル専有情報）がリスト表示されている。このとき、車両用装置２は、お気に入り情報の取得元を特定可能な取得元情報が設定されたタブＴ１〜Ｔ５を、画面上に一列で配置した状態で表示する。本実施形態では、ＳＮＳサービスを対象としているので、取得元情報即ち取得元となるデータベースを特定可能な情報として、各ＳＮＳの名称を設定している。
【００２９】
タブＴ１〜Ｔ４は、取得元情報として、お気に入り情報（第２の登録済施設情報）を取得可能なＳＮＳの名称である「ＳＮＳ１」〜「ＳＮＳ４」が設定されている。つまり、タブＴ１〜Ｔ４は、特許請求の範囲に記載した第２タブに相当する。またタブＴ５には、取得元情報として「地点キープ」（即ち、移動端末側に記憶されている第１の登録済施設情報に相当する）が設定されている。タブＴ５は、特許請求の範囲に記載した第１タブに相当する。図８の場合、タブＴ５は、現在表示中の情報の取得元が地点キープであることから、その旨を識別可能に表示されている。図８では、識別表示の態様をハッチングにて模式的に示している。つまり、車両用装置２は、車両側表示部１１に、取得元情報を、お気に入り情報に対応するタブＴ１〜Ｔ５を識別表示することで、第１の登録済施設情報及び第２の登録済施設情報が表示中または非表示中であるかを識別可能な態様にて、画面上に並べて（一列で）表示している。また、詳細は後述するが、画面上には、情報を更新する更新ボタンＭ２、および、リスト表示した各お気に入り情報に対応させて目的地設定ボタンＭ３も表示されている。
【００３０】
この状態で非表示通のタブＴ１〜Ｔ４のいずれか、例えばタブＴ１がユーザによりタッチ操作されると（切替操作が入力されると）、車両用装置２は、図７に示す情報表示処理において、タブが操作されたことから（Ｂ５：ＹＥＳ）、図９に示すように選択されたタブ（今回はタブＴ１）に対応するＳＮＳ１から取得したお気に入り情報を表示する（Ｂ６）。この図９には、ＳＮＳ１から取得したお気に入り情報がリスト表示される。本実施形態では、ＳＮＳ１は、ユーザが個人で利用するお気に入り情報を記憶している。つまり、図９に示す情報は、ユーザが個人で利用する情報であって、ネットワーク４上のコンテンツサーバ６側に記憶される情報であるリモート専有情報に相当する。
【００３１】
この状態でさらに別のタブ例えばタブＴ２が操作されると、車両用装置２は、図７に示す情報表示処理において、再びタブが操作されたことから（Ｂ５：ＹＥＳ）、図１０に示すように新たに選択されたタブ（今回はタブＴ２）に対応するＳＮＳ２から取得したお気に入り情報を表示する（Ｂ６）。この図１０には、図９と同様に、ＳＮＳ２から取得したお気に入り情報がリスト表示される。本実施形態では、ＳＮＳ２は、複数人により登録可能な情報であって当該複数人で共有可能なお気に入り情報を記憶している。つまり、図１０に示す情報は、ネットワーク４上のコンテンツサーバ６側に記憶される共有情報に相当する。そのため、図１０には、お気に入り情報を登録した人物の名前表示部Ｍ４や、当該人物の写真表示部Ｍ５などが設けられている。これにより、ユーザは、お気に入り情報を登録したのが誰なのかを把握することができる。なお、ＳＮＳ２におけるお気に入り情報の共有は、例えば特定のグループ内でのみ共有可能であってもよいし、誰でも閲覧可能に公開（不特定多数が共有可能）であってもよい。
【００３２】
このように、車両用装置２は、複数のデータベースにて管理されているお気に入り情報、また、ネットワーク上のコンテンツサーバ６側あるいは車両用装置２側のデータベースにて管理されるお気に入り情報を、タブＴ１〜Ｔ５で切り替え可能に、且つ、タブＴ１〜Ｔ５を一列で表示する。これにより、ユーザは、お気に入り情報を共通の操作態様にて閲覧することが可能となる。なお、一旦表示されたお気に入り情報は車両用装置２側にて一時的に記憶され（キャッシュされ）ており、次回からの表示を迅速に行うことができる。
【００３３】
さて、ＳＮＳ２のようなお気に入り情報は、共有されていることから、第三者により更新される可能性がある。そこで、車両用装置２は、各表示画面に更新ボタンＭ２を表示しており、ユーザがこの更新ボタンＭ２をタッチ操作すると、図７に示す情報表示処理において、更新ボタンＭ２が操作されたことから（Ｂ７：ＹＥＳ）、表示中のお気に入り情報を更新つまり再取得した後（Ｂ８）、ステップＢ６にてお気に入り情報を表示する。これにより、最新の状態のお気に入り情報が表示される。なお、図示は省略するが、車両用装置２は、ユーザ入力の待機中（Ｂ５：ＮＯ、Ｂ７：ＮＯ、Ｂ９：ＮＯ）にユーザが終了操作を行った場合や他のアプリケーションの起動操作が入力された場合には、情報表示処理を終了する。
【００３４】
ところで、ユーザは、単にお気に入り情報を閲覧するだけでなく、そのお気に入り情報を利用したいと考えることがある。具体的には、車両に乗車している際、お気に入り情報で閲覧した店舗に行きたいと考えることがある。そこで、車両用装置２は、例えば図１０に示すように、リスト表示した各お気に入り情報のうち、当該お気に入り情報にて示されている施設あるいは地点を特定可能な施設情報が付加されているお気に入り情報に対応させて、目的地設定ボタンＭ３を表示している。この施設情報には、ここで、目的地施設位置を示す情報とは、例えば、経度や緯度、住所や郵便番号、あるいは所定の大きさに区分けしたエリアに対して設定された数桁の数字やアルファベットなどの情報である。
【００３５】
車両用装置２は、ユーザにより目的地設定ボタンＭ３がタッチ操作されると（Ｂ９：ＹＥＳ）、選択された地点または施設を目的地に設定する（Ｂ１１）。具体的には、車両用装置２は、表示した施設の経緯度、名称あるいは電話番号などと、ナビゲーション機能で用いる地図ＤＢとを照合して目的地を設定する。そして、車両用装置２は、図１３に示すような地図画面を表示して車両を目的地まで案内する。なお、車両用装置２は、施設情報をナビゲーション機能に受け渡し、通常のナビゲーション画面を表示あるいは、以降の処理をナビゲーション機能に移管してもよい。
【００３６】
このように、車両用装置２は、お気に入り情報の閲覧だけでなく、その利用をも可能にしている。
さて、上記したように、お気に入りボタンＭ１は、各コンテンツを利用しているときにも表示されている。換言すると、お気に入りボタンＭ１は、常にユーザにより操作される可能性がある。そこで、本実施形態では、車両用装置２は、図７に示す情報表示処理を、起動時などにバックグランドで実行する。そして、お気に入りボタンＭ１が操作されていなくても（Ｂ１：ＮＯ）、前回表示したタブのお気に入り情報を取得する（Ｂ１１）。このようにお気に入り情報を先読みすることで、ユーザがお気に入りボタンＭ１を操作した際、直ぐにお気に入り情報を表示することができる。なお、本実施形態ではステップＢ１１におけるお気に入り情報の取得を例えば起動時に一回だけ実行するようにしているので、不要な通信が行われることがなく、また、他のコンテンツの作動を妨げるおそれも少ない。
【００３７】
また、車両用装置２は、お気に入りボタンＭ１が操作された際にも、お気に入り情報の先読み、すなわち、表示されていないお気に入り情報を、タブＴ１〜Ｔ５へのタッチ操作が行われる前に（切替操作が入力される前に）取得する。具体的には、アプリケーションが起動され、上記したように前回表示した登録済施設情報（例えばタブＴ１のお気に入り情報）が表示されている際、タブＴ２〜Ｔ５に対応するお気に入り情報をバックグラウンドで取得しておく。この場合、タブＴ２〜Ｔ５に対応するすべてのお気に入り情報を取得してもよい。
【００３８】
また、共有情報は、他のユーザがリアルタイムに更新（施設を追加登録）する可能性があるため、予め取得するよりもユーザによる切替操作が行われたとき、即ち、ユーザがその情報を見たいという意思を示したときに取得しに行く方がよいと考えられる一方、専有情報は、他のユーザにより更新される可能性がない。そのため、ユーザが個人で利用する専有情報をまずバックグラウンドで取得しておき、表示までの待ち時間を短縮させるようにしてもよい。さらには、移動端末側に記憶されている第１の登録済施設情報をまず取得し、通信が必要となる第２の登録済施設情報をその後に、或いは、ユーザによる切替操作が行われた際に取得するなど、取得する登録済施設情報に優先順位を設けるようにしてもよい。
【００３９】
以上説明した本実施形態によれば、次のような効果を得ることができる。
移動端末は、自身の記憶手段（車両側記憶部１５、端末側記憶部２６）に記憶されているデータベースにて管理されている登録済施設情報、および外部のコンテンツサーバ６のデータベースにて管理されている登録済施設情報のリストを、表示手段（車両側表示部１１、端末側表示部２１）に共通の態様にて表示する。つまり、移動端末は、異なるデータベースに登録されている登録済施設情報を表示する際、その表示態様を共通化している。したがって、ユーザの利便性を向上することができる。
【００４０】
移動端末は、複数のデータベースにそれぞれ登録されている登録済施設情報としてのお気に入り情報を表示するとき、取得したお気に入り情報に含まれている情報のリストをデータベースごとに表示するとともに、表示中のお気に入り情報を取得したデータベースおよびお気に入り情報を取得可能な他のデータベースを特定可能な取得元情報（例えばＳＮＳ１やＳＮＳ２、地点キープなど）を、お気に入り情報を表示中または非表示中であるかを識別可能な態様にて画面上に一列で表示する。これにより、表示手段には共通の態様にてお気に入り情報を表示することができるとともに、お気に入り情報の取得元が一列に配置されているので、お気に入り情報を切り替える操作も共通化することができる。すなわち、異なるデータベースに登録されているお気に入り情報を表示する際、その表示態様だけでなく、操作態様をも共通化することが可能になる。したがって、利便性をさらに向上させることができる。
【００４１】
移動端末は、表示されていないお気に入り情報を、切替操作が入力される前、すなわち、お気に入りボタンＭ１がタッチ操作される前に先読みするので、ユーザがお気に入りボタンＭ１をタッチ操作した際に直ぐにお気に入り情報を表示することができ、利便性を向上させることができる。
【００４２】
移動端末は、お気に入り情報として、複数人により登録可能な情報であって当該複数人で共有される共有情報、および、移動端末のユーザにより登録された情報であって当該ユーザによって利用される専有情報とをともに表示する。また、移動端末は、ＳＮＳなどのコンテンツサーバ６側にて記憶されるデータベースにて管理されている登録済施設情報だけでなく、移動端末側にて記憶されている登録済施設情報も共通の態様にて表示するので、ユーザが混乱するおそれをより一層低減することができる。
【００４３】
移動端末は、専有情報を優先して取得する。つまり、移動端末は、ユーザにより利用される可能性が高い情報から先読みを行う。これにより、利便性をさらに向上させることができる。また、起動時などにバックグランドで情報表示処理を実行することで、ユーザがお気に入りボタンＭ１を操作した際、直ぐにお気に入り情報を表示することができる。また、例えば起動時に一回だけ実行するので、不要な通信が行われることがなく、他のコンテンツの作動を妨げるおそれも少ない。
【００４４】
移動端末は、お気に入り情報のうち、登録されている施設または地点を特定可能な施設情報が付加されているお気に入り情報に対応させて、目的地設定ボタンＭ３を表示する。そして、ユーザにより目的地設定ボタンＭ３がタッチ操作されると、選択された地点または施設を目的地に設定する。これにより、お気に入り情報の閲覧だけでなく、その利用も可能になる。
【００４５】
（その他の実施形態）
本発明は、上記した一実施形態にて例示したものに限定されることなく、次のように変形又は拡張することができる。
【００４６】
一実施形態で示したタブの数や大きさ、配置などは一例であり、これに限定されない。例えば、タブを縦に一列に配置したり、画面の上部側に横一列に配置したりしてもよい。
お気に入り情報には、他のアプリケーションにより登録された外部情報など加えてもよい。例えば、ナビゲーション機能で利用するよく使う電話番号や施設の名称などの情報が考えられる。この場合、移動端末は、共有情報や専有情報と同様に、例えば図１０に示すタブの一つに、取得元情報として例えば「外部アプリケーション」を設定すればよい。
【符号の説明】
【００４７】
図面中、２は車両用装置（移動端末）、３は携帯通信端末（移動端末）、４はネットワーク、６はコンテンツサーバ（サーバ）、１０は車両側制御部（制御手段）、１１は車両側表示部（表示手段）、１２は車両側操作入力部（操作入力手段）、１４は車両側位置検出部（自機位置検出手段）、１５は車両側記憶部（記憶手段）、１６は車両側接続部（通信手段）、２０は端末側制御部（制御手段）、２１は端末側表示部（表示手段）、２２は端末側操作入力部（操作入力手段）、２４は通信部（外部通信手段）、２５は端末側位置検出部（自機位置検出手段）、２６は端末側記憶部（記憶手段）を示す。
【図１】
0005510494.tif 000002
【図２】
0005510494.tif 000003
【図３】
0005510494.tif 000004
【図４】
0005510494.tif 000005
【図５】
0005510494.tif 000006
【図６】
0005510494.tif 000007
【図７】
0005510494.tif 000008
【図８】
0005510494.tif 000009
【図９】
0005510494.tif 000010
【図１０】
0005510494.tif 000011
【図１１】
0005510494.tif 000012